(57)【要約】【課題】ハーネスボードのセッティング作業を容易かつ安全に行えるようにする。【解決手段】キャスター３を有する基体１と、基体に連結され、ハーネスボードを起立状態で支持する受枠２を備える。受枠は、ハーネスボードの裏面を支持する第１の支持面４と、ハーネスボードの互いに直交した一対の側端面のうちの一方を支持する第２の支持面５と、ハーネスボードの一対の側端面のうちの他方を支持する第３の支持面６を有する。受枠を、基体に対し、第１の支持面が基体から遠ざかる側に位置しかつ上向きになるように傾斜させて、傾斜面に垂直な軸のまわりに回転可能に連結する連結ユニットと、基体及び受枠間に設けられ、受枠を、第２の支持面が上向き水平となるボード搭載位置と、第３の支持面が上向きとなるボード設定位置とに固定し得るロック機構２１と、受枠の第２の支持面に設けられたフリーローラコンベヤ２２を備える。【選択図】図１
2020011541.tif 000002
【特許請求の範囲】
【請求項１】
下面にキャスターを有する基体と、
前記基体に連結され、ハーネスボードを起立状態で支持する矩形状の受枠と、を備え、
前記受枠は、前記ハーネスボードの裏面を支持する第１の支持面、および、前記受枠の１つの短辺縁に沿ってのび、前記ハーネスボードの互いに直交した一対の側端面のうちの一方の側端面を支持する第２の支持面、および、前記受枠の前記短辺縁に直交する１つの長辺縁に沿ってのび、前記ハーネスボードの前記一対の側端面のうちの他方の側端面を支持する第３の支持面を有しており、さらに、
前記受枠を、前記基体に対して、前記第１の支持面が前記基体から遠ざかる側に位置しかつ上向きになるように傾斜させて、当該傾斜面に垂直な軸のまわりに回転可能に連結する連結ユニットと、
前記基体および前記受枠間、または前記連結ユニットに設けられ、前記受枠を、前記第２の支持面が上向き水平となるボード搭載位置と、前記ボード搭載位置から９０度回転して、前記第３の支持面が上向きとなるボード設定位置とに一時的に固定するロック機構と、を備えたことを特徴とするハーネスボード用台車。
【請求項２】
前記受枠の前記第２の支持面に設けられ、前記受枠の前記短辺縁に沿ってのびるフリーローラコンベヤを、さらに備えたことを特徴とする請求項１に記載のハーネスボード用台車。
【請求項３】
請求項１または請求項２に記載のハーネスボード用台車と組み合わせて使用するハーネスボード収納ラックであって、
前後端を有する基台と、
前記基台の上面に互いに間隔をあけて立設され、それぞれ前記基台の前後方向にのびる複数の仕切と、を備え、
隣り合う前記仕切間に、前記ハーネスボードが起立状態で収納され得る収納スペースが形成されており、さらに、
前記基台の後端側において前記隣り合う仕切間に設けられたボード脱落防止用ストッパと、
前記基台の上面の高さレベルが、前記ハーネスボード用台車の前記ボード搭載位置にある前記受枠の前記第２の支持面の高さレベルに等しくなっていることを特徴とするハーネスボード収納ラック。
【請求項４】
前記収納スペースにおける、前記基台の上面に設けられて、前記基台の前後方向にのびるフリーローラーコンベヤを、さらに備えたことを特徴とする請求項３に記載のハーネスボード収納ラック。
【請求項５】
請求項１または請求項２に記載のハーネスボード用台車と、請求項３または請求項４に記載のハーネスボード収納ラックとからなるハーネスボード運用支援システム。
【発明の詳細な説明】
【技術分野】
【０００１】
本発明は、ワイヤーハーネスの製造に使用するハーネスボードを収納場所から取り出して作業場所まで搬送し、所定の作業位置にセットするためのハーネスボード用台車、および当該ハーネスボード用台車と組み合わせて使用するハーネスボード収納ラック、および当該ハーネスボード用台車と当該ハーネスボード収納ラックからなるハーネスボード運用支援システムに関するものである。
【背景技術】
【０００２】
従来のハーネスボード用台車として、例えば、特許文献１に記載されたものがある。
特許文献１に記載のハーネスボード用台車は、基台部と、基台部に回転自在に支持された受台部とからなり、基台部は矩形状に形成され、基台部の下面側中間部に補強板が設けられ、補強板の下面にキャスターが取り付けられている。また、基台部の上面側の長手方向両側に支柱が立設され、支柱の上端部に軸受が固定されている。
【０００３】
受台部は矩形状に形成され、受台部の両面がハーネスボードを支持する支持面となっている。また、受台部の外周部分には、押さえ部材が取り付けられている。押さえ部材は、支持面上に載置されたハーネスボードの外周端部を受台部との間で挟持して、ハーネスボードを支持面に固定する。
【０００４】
さらに、受台部の長手方向両側部に支軸が突設され、支軸は、基台部の軸受に回転自在に支持されている。また、支軸の両側には固定ピンが突設されている。固定ピンには、固定金具の一端が係止され、固定金具の他端は、支柱に回転自在に支持されている。
【０００５】
そして、受台部の２つの支持面に異なる種類の２つのハーネスボードが固定され、受台部が支軸のまわりに回転せしめられることで、支持面、すなわちハーネスボードが切り替えられる。
それによって、ハーネスボードの交換が容易になり、作業効率がアップする。
【０００６】
しかしながら、この従来の台車においては、ハーネスボードが受台部の支持面に押さえ部材によって取り付けられるが、この取付作業の際、作業者は、ハーネスボードを支持面の所定位置まで持ち上げ、所定位置に位置決めした状態で、押さえ部材で支持面に固定しなければならない。
【０００７】
ところて、ハーネスボードは、通常、サイズが１，８００ｍｍ×９００ｍｍで、重量も最大で１５Ｋｇ程度あり、大型でしかも重い。
そのため、ハーネスボードの受台部への取付作業にはかなり労力を要しており、さらには、作業中にハーネスボードが作業者の足元に落下する等の危険性もあり、この作業を女性作業者に担当させることが難しいという問題があった。
【先行技術文献】
【特許文献】
【０００８】
【特許文献１】特開平８−３１２４８号公報
【発明の概要】
【発明が解決しようとする課題】
【０００９】
したがって、本発明の課題は、ハーネスボードのセッティング作業（ハーネスボードを収納場所から取出し、作業場所まで搬送し、所定の作業位置にセットし、作業後再び収納場所に収納する作業）を容易かつ安全に行えるようにすることにある。
【課題を解決するための手段】
【００１０】
上記課題を解決するため、本発明によれば、下面にキャスターを有する基体と、前記基体に連結され、前記ハーネスボードを起立状態で支持する矩形状の受枠と、を備え、前記受枠は、前記ハーネスボードの裏面を支持する第１の支持面、および、前記受枠の１つの短辺縁に沿ってのび、前記ハーネスボードの互いに直交した一対の側端面のうちの一方の側端面を支持する第２の支持面、および、前記受枠の前記短辺縁に直交する１つの長辺縁に沿ってのび、前記ハーネスボードの前記一対の側端面のうちの他方の側端面を支持する第３の支持面を有しており、さらに、前記受枠を、前記基体に対して、前記第１の支持面が前記基体から遠ざかる側に位置しかつ上向きになるように傾斜させて、当該傾斜面に垂直な軸のまわりに回転可能に連結する連結ユニットと、前記基体および前記受枠間、または前記連結ユニットに設けられ、前記受枠を、前記第２の支持面が上向き水平となるボード搭載位置と、前記ボード搭載位置から９０度回転して、前記第３の支持面が上向きとなるボード設定位置とに一時的に固定するロック機構と、を備えたことを特徴とするハーネスボード用台車が提供される。
【００１１】
本発明の好ましい実施例によれば、前記ハーネスボード用台車は、さらに、前記受枠の前記第２の支持面に設けられ、前記受枠の前記短辺縁に沿ってのびるフリーローラコンベヤを備えている。
【００１２】
また、本発明によれば、上記ハーネスボード用台車と組み合わせて使用するハーネスボード収納ラックであって、前後端を有する基台と、前記基台の上面に互いに間隔をあけて立設され、それぞれ前記基台の前後方向にのびる複数の仕切と、を備え、隣り合う前記仕切間に、前記ハーネスボードが起立状態で収納され得る収納スペースが形成されており、さらに、前記基台の後端側において前記隣り合う仕切間に設けられたボード脱落防止用ストッパと、を備え、前記基台の上面の高さレベルが、前記ハーネスボード用台車の前記ボード搭載位置にある前記受枠の前記第２の支持面の高さレベルに等しくなっていることを特徴とするハーネスボード収納ラックが提供される。
【００１３】
好ましくは、前記ハーネスボード収納ラックは、さらに、前記収納スペースにおける、前記基台の上面に設けられて、前記基台の前後方向にのびるフリーローラーコンベヤを備えている。
【００１４】
また、本発明によれば、上記ハーネスボード用台車と、上記ハーネスボード収納ラックとからなるハーネスボード運用支援システムが提供される。
【発明の効果】
【００１５】
本発明によれば、ハーネスボード用台車は、受枠がボード搭載位置に固定された状態で、ハーネスボードの収納場所まで移動せしめられる。そして、必要なハーネスボードが収納場所から作業者の手で取り出され、次いで、受枠の第２の支持面の高さまで持ち上げられて、ハーネスボードの互いに直交する一対の側端面のうちの一方の側端面の一端部が第２の支持面上に載せられた後、第２の支持面上を第３の支持面に当接するまでスライドせしめられる。それによって、ハーネスボードがハーネスボード用台車に搭載される。
【００１６】
その後、ハーネスボード用台車は作業場所まで移動せしめられる。そして、作業者の手で受枠の固定が解除されるとともに、受枠がボード搭載位置からボード設定位置まで回転せしめられ、ボード設定位置に固定される。それによって、ハーネスボードが作業位置にセットされる。
【００１７】
作業終了後、作業者の手で受枠の固定が解除されるとともに、受枠がボード設定位置からボード搭載位置まで回転せしめられ、ボード搭載位置に固定される。
そして、ハーネスボード用台車は収納場所まで移動せしめられ、そこで、作業者の手でハーネスボードが受枠から引き出されて、元の収納場所に収納される。
【００１８】
こうして、本発明によれば、ハーネスボードのセッティング作業（ハーネスボードを収納場所から取出し、作業場所まで搬送し、所定の作業位置にセットし、作業後再び収納場所に収納する作業）を容易かつ安全に行うことができ、女性作業員であっても問題なくこの作業を担当することができる。
【００１９】
また、このハーネスボード用台車を本発明によるハーネスボード収納ラックと組み合わせて使用した場合には、ハーネスボードのハーネスボード用台車への搭載時、ハーネスボード用台車が、ハーネスボード収納ラックの前方に、ボード搭載位置に固定された受枠の第２の支持面における第３の支持面から遠ざかる側の端が、ハーネスボード収納棚の前端であって、該当するハーネスボードが収納された収納スペースの位置に一致する配置で停車せしめられる。
【００２０】
このとき、ハーネスボード用台車の受枠の第２の支持面と、ハーネスボード収納ラックの基台の上面（すなわち、収納スペースの底面）は同じ高さレベルに位置する。
そして、該当するハーネスボードは、作業者の手で、家屋の引き戸を動かす要領で、ハーネスボード収納ラックからハーネスボード用台車の受枠に向けてスムーズに引き出されて受枠に搭載される。
【００２１】
また、ハーネスボードによる作業の完了後、ハーネスボードを収納する際にも、ハーネスボード用台車が、ハーネスボードの搭載時と同様にハーネスボード収納ラックの前に停車せしめられる。そして、ハーネスボードが、作業者の手で、家屋の引き戸を動かす要領で、ハーネスボード用台車の受枠からハーネスボード収納ラック向けてスムーズに引き出されて収納スペースに収納される。
【００２２】
こうして、本発明によるハーネスボード用台車に本発明のよるハーネスボード収納ラックを組み合わせて使用することによって、ハーネスボードの収納場所からハーネスボード用台車への搭載並びにハーネスボード用台車から収納場所への収納がより容易かつ安全に行えるようになる。
【図面の簡単な説明】
【００２３】
【図１】本発明の１実施例によるハーネスボード用台車の斜視図である。
【図２】図１のハーネスボード用台車の側面図であり、（Ａ）は受枠がボード搭載位置にある状態を示し、（Ｂ）は受枠がボード設定位置にある状態を示している。
【図３】図１のハーネスボード用台車の正面図であり、（Ａ）は受枠がハーネスボードを支持してボード搭載位置にある状態を示し、（Ｂ）は受枠がハーネスボードを支持してボード設定位置にある状態を示している。
【図４】図１のハーネスボード用台車のストッパを示す図であり、（Ａ）は下方から見た斜視図であり、（Ｂ）は、ストッパがロック位置にあるときの横断面図であり、（Ｃ）はストッパがロック解除位置にあるときの横断面図である。
【図５】図１のハーネスボード用台車のロック機構を示す部分拡大斜視図である。
【図６】本発明の１実施例によるハーネスボード収納ラックの斜視図である。
【図７】図１のハーネスボード用台車と図６のハーネスボード収納ラックを組み合わせたときの使用方法を説明する斜視図である。
【発明を実施するための形態】
【００２４】
以下、添付図面を参照しつつ、本発明の構成を好ましい実施例に基づいて説明する。
図１は、本発明の１実施例によるハーネスボード用台車の斜視図である。図２Ａは、図１のハーネスボード用台車の、受枠がボード搭載位置にあるときの側面図であり、図２Ｂは、図１のハーネスボード用台車の、受枠がボード設定位置にあるときの側面図である。
また、図３Ａは、図１のハーネスボード用台車の、受枠がハーネスボードを支持してボード搭載位置にあるときの正面図であり、図３Ｂは、図１のハーネスボード用台車の、受枠がハーネスボードを支持してボード設定位置にあるときの正面図である。
【００２５】
図１〜図３を参照して、本発明のハーネスボード用台車Ｗは、下面の四隅にキャスターを有する基体１と、基体１の前面に連結され、ハーネスボードＨＢを起立状態で支持する矩形状の受枠２を備えている。
【００２６】
基体１は、複数本の棒体から組み立てられており、下面にキャスター３を備えた直方体形状の下部１ａと、下部１ａの上端に接続し、その前面が上向きに傾斜した上部１ｂを有している
【００２７】
受枠２は、互いに平行な短辺縁をなす第１および第２の棒体２ａ、２ｂと、第１および第２の棒体２ａ、２ｂの一端同士を接続し、１つの長辺縁をなす第３の棒体２ｃと、第１および第２の棒体２ａ、２ｂの他端同士を接続し、別の長辺縁を形成する第４の棒体２ｄと、十字状をなし、第１および第２の棒体２ａ、２ｂの中間部同士、および第３および第４の棒体の中間部同士を接続する補強部材２ｅとから形成されている。
【００２８】
さらに、第１の棒体２ａと第３の棒体２ｃとの接続部、および第１の棒体２ａの他端にそれぞれ補助部材２ｆ、２ｇが接続されて、第１〜第４の棒体２ａ〜２ｄおよび補強部材２ｅによって画成された面Ｆ１から傾斜して起立し、また、補助部材２ｆ、２ｇの先端同士が連結部材２ｈによって連結されている。
【００２９】
さらに、第３の棒体２ｃの他端および中間部の複数の位置にそれぞれ補助部材２ｉが接続されて、面Ｆ１に垂直にのび、また、補助部材２ｉの先端同士が連結部材２ｊによって連結されている。
【００３０】
そして、面Ｆ１が、ハーネスボードＨＢの裏面を支持する第１の支持面４を形成し、第１の棒体２ａ、補助部材２ｆ、２ｇ、および連結部材２ｈによって画成された面Ｆ２が、ハーネスボードＨＢの互いに直交した一対の側端面のうちの一方の側端面を支持する第２の支持面５を形成し、第３の棒体２ｃ、補助部材２ｆ、２ｉ、および連結部材２ｊによって画成された面Ｆ３が、ハーネスボードＨＢの一対の側端面のうちの他方の側端面を支持する第３の支持面６を形成する。
【００３１】
受枠２は、補強部材２ｅの中央交差部において、公知の適当な連結ユニット７によって、基体１の上部１ｂの前面に対し、第１の支持面４が基体１から遠ざかる側に位置しかつ上向きになるように傾斜する配置で、当該傾斜面に垂直な軸のまわりに回転可能に連結されている。
そして、受枠２は、第２の支持面５が上向き水平となるボード搭載位置（図２Ａ、図３Ａ参照）と、ボード搭載位置から９０度回転して、第３の支持面６が上向きとなるボード設定位置（図２Ｂ、図３Ｂ参照）とを取り得る。
【００３２】
また、受枠２の補強部材２ｅにおける第１の棒体２ａに平行な腕部分に、コ字状の第１のバー８が固定されて、受枠２から受枠２および基体１間のスペースに突出し、補強部材２ｅにおける第３の棒体２ｃに平行な腕部分には、コ字状の第２のバー９が固定されて、受枠２から受枠２および基体１間のスペースに突出している。
【００３３】
図４Ａは、図１のハーネスボード用台車のストッパを下方から見た斜視図であり、図４Ｂは、ストッパがロック位置にあるときの横断面図であり、図４Ｃは、ストッパがロック解除位置にあるときの横断面図である。また、図５は、図１のハーネスボード用台車のロック機構を示す部分拡大斜視図である。
図４および図５に示すように、基体１の上部１ｂの前面に、受枠２がボード設定位置からボード搭載位置に向けて回転してボード搭載位置に到達したとき、受枠２の第１のバー８を把持して受枠２をボード搭載位置に固定する第１のストッパ１０が設けられている。
【００３４】
第１のストッパ１０は、この実施例では、基体上部１ｂの前面を形成する水平な棒体１ｃに固定されて、受枠２の第１のバー８の運動経路内に突出する断面がＬ字状の水平な固定板１１と、固定板１１の下面にバネ付き蝶番１２を介して接続された断面がＵ字状の可動板１３から構成されている。
【００３５】
この場合、バネ付き蝶番１２の一片側が固定板１１の下面に固定される一方、バネ付き蝶番１２の他片側が、可動板１３の平行な一対の側壁１３ａ、１３ｂのうちの一方の側壁１３ａの内面に固定され、可動板１３は、バネ付き蝶番１２によって、常時、一方の側壁１３ａが固定板１１に当接する向きに弾性付勢されている。
【００３６】
こうして、第１のストッパ１０は、可動板１３がバネ付き蝶番１２の弾性付勢力によって一方の側壁１３ａにおいて固定板１１に当接し、受枠２の第１のバー８を、固定板１１および可動板１３および基体１の棒体１ｃ間に把持、固定するロック位置（図４Ｂ参照）と、可動板１３がバネ付き蝶番１２の弾性付勢力に抗して蝶番１２のまわりに固定板１１から離れる向きに回動することによって、受枠２の第１のバー８の固定を解除するロック解除位置（図４Ｃ参照）とをとる。
【００３７】
また、可動板１３の一対の側壁１３ａ、１３ｂのうちの他方の側壁１３ｂの上端は、外側に鋭角をなして折り返されている。
そして、受枠２がボード搭載位置の手前からボード搭載位置まで回転する間に、第１のバー８が可動板１３の折り返し部分１３ｃに当接して第１のストッパ１０をロック位置からロック解除位置まで動かすとともに、第１のストッパ１０内に進入し、受枠２がボード搭載位置に到達したとき、第１のバー８が固定板１１に当接するとともに、第１のストッパ１０がロック解除位置からロック位置まで戻る。
それによって、受枠２がボード搭載位置に固定される。
【００３８】
基体１の上部１ｂの前面には、また、第１のストッパ１０による受枠２の固定を解除するための第１の解除機構１４が設けられている。
第１の解除機構１４は、基体１の上部１ｂにおける第１のストッパ１０の下方に取り付けられ、上部１ｂの前面に垂直な軸のまわりに回転可能なプーリー１５と、上部１ｂの前面の側部に、管状スライドガイド１６を介して水平方向にスライド可能に取り付けられた操作ロッド１７と、一端が第１のストッパ１０の可動板１３の折り返し部分１３ｃに取り付けられ、他端がプーリー１５を経て操作ロッド１７の内側端に取り付けられた紐１８とから構成されている。
【００３９】
そして、操作ロッド１７が外側に引っ張られることによって、第１のストッパ１０の可動板１３がバネ付き蝶番１２の弾性付勢力に抗して固定板１１から離間し、第１のストッパ１０がロック解除位置をとり、操作ロッド１７を外側に引っ張る力が取り去られることによって、第１のストッパ１０の可動板１３がバネ付き蝶番１２の弾性付勢力によって元の位置に戻り、第１のストッパ１１がロック位置をとる。
【００４０】
また、基体１の上部１ｂの前面には、受枠２がボード搭載位置からボード設定位置に向けて回転してボード設定位置に到達したとき、受枠２の第２のバー９を把持して受枠２をボード設定位置に固定する第２のストッパ１９と、第２のストッパ１９による受枠２の固定を解除するための第２の解除機構２０が取り付けられている。
第２のストッパ１９および第２の解除機構２０は第１のストッパ１０および第１の解除機構１４と同一の構成を有している。よって、第２のストッパ１９および第２の解除機構２０の詳細な説明は省略する。
【００４１】
第１のバー８、第２のバー９、第１のストッパ１０、第１の解除機構１４、第２のストッパ１９および第２の解除機構２０から、受枠２をボード搭載位置と、ボード設定位置とに一時的に固定するロック機構２１が構成される。
【００４２】
なお、ロック機構２１の構成はこの実施例に限定されず、ロック機構２１は、受枠２をボード搭載位置とボード設定位置とに一時的に固定するのに適した任意の構成を有し得る。また、ロック機構２１を、基体１および受枠２間ではなく、連結ユニット７に設けてもよい。
【００４３】
再び図１を参照して、本発明のハーネスボード用台車Ｗは、さらに、受枠２の第２の支持面５に設けられ、受枠２の短辺縁に沿ってのびるフリーローラコンベヤ２２（フリーローラコンベヤ２２を構成する複数のローラの回転軸はそれぞれ第２の支持面５の幅方向にのびる）を備えている。
【００４４】
次に、本発明によるハーネスボード用台車Ｗの使用方法を説明する。
ハーネスボード用台車ＷにハーネスボードＨＢが搭載される時は、受枠２が第１のストッパ１０によってボード搭載位置に固定された状態で、ハーネスボードＨＢの収納場所まで移動せしめられる。そして、必要なハーネスボードＨＢが収納場所から作業者の手で取り出され、次いで、受枠２の第２の支持面５の高さまで持ち上げられて、ハーネスボードＨＢの互いに直交する一対の側端面のうちの一方の側端面の一端部がフリーローラコンベヤ２２上に載せられた後、フリーローラコンベヤ２２上を受枠の第３の支持面６に当接するまで押される。
それによって、ハーネスボードＨＢがハーネスボード用台車Ｗに搭載される。
【００４５】
その後、ハーネスボード用台車Ｗは作業場所まで移動せしめられる。
そして、作業者の手で第１の解除機構１４の操作ロッド１７が外側に引っ張られて第１のストッパ１０による受枠２の固定が解除され、受枠２が作業者の手でボード搭載位置からボード設定位置まで回転せしめられる。受枠２は、ボード設定位置に到達すると、第２のストッパ１９によって自動的に固定される。
それによって、ハーネスボードＨＢが作業位置にセットされる。
【００４６】
ワイヤーハーネスの製造作業の終了後、作業者の手で第２の解除機構２０の操作ロッド１７が外側に引っ張られて第２のストッパ１９による受枠２の固定が解除され、受枠２が作業者の手でボード設定位置からボード搭載位置まで回転せしめられる。受枠２は、ボード搭載位置に到達すると、第１のストッパ１０によって自動的に固定される。
そして、ハーネスボード用台車Ｗは収納場所まで移動せしめられ、そこで、作業者の手でハーネスボードＨＢがフリーローラコンベヤ２２を用いて受枠２から引き出されて、元の収納場所に収納される。
【００４７】
こうして、本発明によれば、ハーネスボードＨＢのセッティング作業（ハーネスボードＨＢを収納場所から取出し、作業場所まで搬送し、所定の作業位置にセットし、作業後再び収納場所に収納する作業）を容易かつ安全に行うことができ、女性作業員であっても問題なくこの作業を担当することができる。
【００４８】
以上、本発明の好ましい実施例を説明したが、本発明の構成は上記実施例に限定されるものではない。
例えば、上記実施例では、ハーネスボード用台車の基体および受枠を棒状部材の組立体から形成したが、基体および受枠を板状部材を主体として形成することもできる。
また、上記実施例では、受枠の第２の支持面にフリーローラコンベヤを設けたが、フリーローラコンベヤを設けずに、第２の支持面を平面状に形成してもよい。
【００４９】
図６は、図１のハーネスボード用台車と組み合わせて使用される本発明のハーネスボード収納ラックの斜視図である。
図６に示すように、本発明のハーネスボード収納ラックＸは、前後端２３ａ、２３ｂを有する基台２３を備えている。そして、基台２３の上面の高さレベルは、ハーネスボード用台車Ｗのボード搭載位置にある受枠２の第２の支持面５の高さレベルに等しくなっている。
【００５０】
ハーネスボード収納ラックＸは、また、基台２３の上面に互いに間隔をあけて立設され、それぞれ基台２３の前後方向にのびる複数の仕切２４を備えており、隣り合う仕切２４間には、ハーネスボードＨＢが起立状態で収納され得る収納スペース２５が形成されている。
【００５１】
また、基台２３の後端側において、隣り合う仕切２４間に、ボード脱落防止用ストッパ２６が設けられている。
この実施例では、ボード脱落防止用ストッパ２６は、各仕切２４の上部を連結する単一の水平なバーからなっている。
【００５２】
さらに、収納スペース２５の底面（収納スペース２５における基台２３の上面）に、フリーローラコンベヤ２７が設けられ、基台２３の前後方向にのびている（フリーローラコンベヤ２７を構成する複数のローラの回転軸はそれぞれ基台２３の左右方向にのびている）。
フリーローラコンベヤ２７は、必要に応じて設けられる。
【００５３】
図７は、図１のハーネスボード用台車と図６のハーネスボード収納ラックを組み合わせたときの使用方法を説明する斜視図である。
図７を参照して、このハーネスボード収納ラックＸを図１のハーネスボード用台車Ｗと組み合わせて使用した場合には、ハーネスボードＨＢのハーネスボード用台車Ｗへの搭載時、ハーネスボード用台車Ｗが、ハーネスボード収納ラックＸの前方に、ボード搭載位置に固定された受枠２の第２の支持面５（フリーローラコンベヤ２２）における第３の支持面６から遠ざかる側の端が、ハーネスボード収納ラックＸの前端であって、該当するハーネスボードＨＢが収納された収納スペース２５の位置に一致する配置で停車せしめられる。
【００５４】
このとき、ハーネスボード用台車Ｗの受枠２のフリーローラコンベヤ２２の搬送面と、ハーネスボード収納ラックＸのフリーローラコンベヤ２７の搬送面は同じ高さレベルに位置する。
そして、該当するハーネスボードＨＢは、作業者の手で、家屋の引き戸を動かす要領で、ハーネスボード収納ラックＸの収納スペース２５からハーネスボード用台車Ｗの受枠２に向けてスムーズに引き出されて受枠２に搭載される。
【００５５】
また、ハーネスボードＨＢを用いたワイヤハーネス製造作業の完了後、ハーネスボードＨＢを収納する際にも、ハーネスボード用台車Ｗが、ハーネスボードＨＢの搭載時と同様にハーネスボード収納ラックＸの前に停車せしめられる。そして、ハーネスボードＨＢが、作業者の手で、家屋の引き戸を動かす要領で、ハーネスボード用台車Ｗの受枠２からハーネスボード収納ラックＸに向けてスムーズに引き出されて収納スペース２５に収納される。
【００５６】
本発明によるハーネスボード用台車に本発明のよるハーネスボード収納ラックを組み合わせて使用することによって、ハーネスボードの収納場所からハーネスボード用台車への搭載並びにハーネスボード用台車から収納場所への収納がより容易かつ安全に行えるようになる。
【００５７】
こうして、本発明のハーネスボード用台車Ｗと本発明のハーネスボード収納ラックＸを組み合わせは、ハーネスボード運用支援システムを構成する。
【符号の説明】
【００５８】
１  基体
１ａ  下部
１ｂ  上部
１ｃ  棒体
２  受枠
２ａ〜２ｄ  第１〜第４の棒体
２ｅ  補強部材
２ｆ、２ｇ  補助部材
２ｈ  連結部材
２ｉ  補助部材
２ｊ  連結部材
３  キャスター
４  第１の支持面
５  第２の支持面
６  第３の支持面
７  連結ユニット
８  第１のバー
９  第２のバー
１０  第１のストッパ
１１  固定板
１２  バネ付き蝶番
１３  可動板
１３ａ、１３ｂ  側壁
１３ｃ  折り返し部分
１４  第１の解除機構
１５  プーリー
１６  管状スライドガイド
１７  操作ロッド
１８  紐
１９  第２のストッパ
２０  第２の解除機構
２１  ロック機構
２２  フリーローラコンベヤ
２３  基台
２３ａ  前端
２３ｂ  後端
２４  仕切
２５  収納スペース
２６  ボード脱落防止用ストッパ
２７  フリーローラコンベヤ
Ｆ１〜Ｆ３  面
ＨＢ  ハーネスボード
Ｗ  ハーネスボード用台車
Ｘ  ハーネスボード収納ラック
【図１】
2020011541.tif 000003
【図２】
2020011541.tif 000004
【図３】
2020011541.tif 000005
【図４】
2020011541.tif 000006
【図５】
2020011541.tif 000007
【図６】
2020011541.tif 000008
【図７】
2020011541.tif 000009